(57)【要約】【課題】各薬剤の耐性化の傾向を把握することを支援する情報を提供すること。【解決手段】検出結果取得部２０１は、複数の薬剤についての薬剤感受性の検出結果を取得する。検出結果抽出部２０２は、検出結果取得部２０１によって複数の薬剤感受性の検出結果が取得された患者における第１時期及び第２時期の検出結果を抽出する。感受性レベル判定部２０３は、検出結果抽出部２０２により検出結果が抽出された患者の第１時期の薬剤感受性の第１レベル及び第２時期の薬剤感受性の第２レベルを複数の薬剤について判定する。グラフ生成部２０４は、感受性レベル判定部２０３により判定された第１レベル及び第２レベルを複数の薬剤について比較する比較グラフを生成する。グラフ出力部２０５は、グラフ生成部２０４により生成された比較グラフを出力する。【選択図】図３
2018055435.tif 000002
【特許請求の範囲】
【請求項１】
複数の薬剤についての薬剤感受性の検出結果を取得する検出結果取得部と、
複数の前記検出結果が取得された患者における第１時期及び第２時期の前記検出結果を抽出する抽出部と、
前記検出結果が抽出された患者の前記第１時期の薬剤感受性の第１レベル及び前記第２時期の薬剤感受性の第２レベルを前記複数の薬剤について判定する判定部と、
判定された前記第１レベル及び前記第２レベルを前記複数の薬剤について比較するグラフを生成する第１生成部と、
前記第１生成部により生成されたグラフを出力する出力部と
を備える情報処理装置。
【請求項２】
前記第１生成部は、前記複数の薬剤を並べた第１軸と、前記複数の薬剤の各々について判定された前記薬剤感受性のレベルを示す第２軸とを有し、前記第１軸に並べられた隣り合う前記薬剤の前記第１レベル同士を線で結び、当該薬剤の前記第２レベル同士を線で結んだレーダーチャートを前記比較するグラフとして生成する
請求項１に記載の情報処理装置。
【請求項３】
前記第１生成部は、判定された前記第１レベル及び前記第２レベルの差分が閾値以上である薬剤については当該差分を表す差分画像を含むグラフを前記比較するグラフとして生成する
請求項１又は２に記載の情報処理装置。
【請求項４】
前記複数の薬剤のうちの指定された薬剤について、特定の期間に前記第１時期及び第２時期の検出結果が取得された患者について判定された前記第１レベル及び前記第２レベルの変化の度合いを複数の前記期間について示したグラフを生成する第２生成部を備え、
前記出力部は、前記第２生成部により生成されたグラフを出力する
請求項１から３のいずれか１項に記載の情報処理装置。
【請求項５】
前記検出結果が取得された患者が属する医療施設における前記複数の薬剤のそれぞれの使用量を示す使用量情報を取得する第１情報取得部と、
前記複数の薬剤について、取得された前記使用量情報が示す使用量をグラフに示す画像を生成する第３生成部とを備え、
前記出力部は、前記第３生成部により生成された画像を出力する
請求項１から４のいずれか１項に記載の情報処理装置。
【請求項６】
前記複数の薬剤のうち指定された薬剤について、臓器移行性を示す情報、投与方法を示す情報又は投与された患者に関する情報を取得する第２情報取得部と、
前記第２情報取得部により取得された情報を出力する第２出力部とを備える
請求項１から５のいずれか１項に記載の情報処理装置。
【請求項７】
コンピュータを、
複数の薬剤についての薬剤感受性の検出結果を取得する検出結果取得部と、
複数の前記検出結果が取得された患者における第１時期及び第２時期の前記検出結果を抽出する抽出部と、
前記検出結果が抽出された患者の前記第１時期の薬剤感受性の第１レベル及び前記第２時期の薬剤感受性の第２レベルを前記複数の薬剤について判定する判定部と、
判定された前記第１レベル及び前記第２レベルを前記複数の薬剤について比較するグラフを生成する第１生成部と、
前記第１生成部により生成されたグラフを出力する出力部
として機能させるためのプログラム。
【発明の詳細な説明】
【技術分野】
【０００１】
本発明は、薬剤耐性化の傾向の把握を支援する技術に関する。
【背景技術】
【０００２】
特許文献１には、試薬の残量及び試薬の予測使用量を示す棒グラフにより試薬の補充必要量を把握する技術が記載されている。
【先行技術文献】
【特許文献】
【０００３】
【特許文献１】特許５８０６９０２号公報
【発明の概要】
【発明が解決しようとする課題】
【０００４】
医療施設で患者に投与する薬剤を選択する際には、その医療施設における薬剤の耐性化の傾向を考慮することが望ましい。なぜなら、例えばその医療施設において耐性化が進んでいる傾向にある薬剤はなるべく選択しないようにすることで、その薬剤の耐性化がさらに進むことを防ぐことができるからである。
そこで、本発明は、各薬剤の耐性化の傾向を把握することを支援する情報を提供することを目的とする。
【課題を解決するための手段】
【０００５】
本発明は、複数の薬剤についての薬剤感受性の検出結果を取得する検出結果取得部と、複数の前記検出結果が取得された患者における第１時期及び第２時期の前記検出結果を抽出する抽出部と、前記検出結果が抽出された患者の前記第１時期の薬剤感受性の第１レベル及び前記第２時期の薬剤感受性の第２レベルを前記複数の薬剤について判定する判定部と、判定された前記第１レベル及び前記第２レベルを前記複数の薬剤について比較するグラフを生成する第１生成部と、前記第１生成部により生成されたグラフを出力する出力部とを備える情報処理装置を提供する。
【０００６】
また、前記第１生成部は、前記複数の薬剤を並べた第１軸と、前記複数の薬剤の各々について判定された前記薬剤感受性のレベルを示す第２軸とを有し、前記第１軸に並べられた隣り合う前記薬剤の前記第１レベル同士を線で結び、当該薬剤の前記第２レベル同士を線で結んだレーダーチャートを前記比較するグラフとして生成してもよい。
さらに、前記第１生成部は、判定された前記第１レベル及び前記第２レベルの差分が閾値以上である薬剤については当該差分を表す差分画像を含むグラフを前記比較するグラフとして生成してもよい。
【０００７】
また、前記複数の薬剤のうちの指定された薬剤について、特定の期間に前記第１時期及び第２時期の検出結果が取得された患者について判定された前記第１レベル及び前記第２レベルの変化の度合いを複数の前記期間について示したグラフを生成する第２生成部を備え、前記出力部は、前記第２生成部により生成されたグラフを出力してもよい。
さらに、前記検出結果が取得された患者が属する医療施設における前記複数の薬剤のそれぞれの使用量を示す使用量情報を取得する第１情報取得部と、前記複数の薬剤について、取得された前記使用量情報が示す使用量をグラフに示す画像を生成する第３生成部とを備え、前記出力部は、前記第３生成部により生成された画像を出力してもよい。
【０００８】
また、前記複数の薬剤のうち指定された薬剤について、臓器移行性を示す情報、投与方法を示す情報又は投与された患者に関する情報を取得する第２情報取得部と、前記第２情報取得部により取得された情報を出力する第２出力部とを備えていてもよい。
【０００９】
また、本発明は、コンピュータを、複数の薬剤についての薬剤感受性の検出結果を取得する検出結果取得部と、複数の前記検出結果が取得された患者における第１時期及び第２時期の前記検出結果を抽出する抽出部と、前記検出結果が抽出された患者の前記第１時期の薬剤感受性の第１レベル及び前記第２時期の薬剤感受性の第２レベルを前記複数の薬剤について判定する判定部と、判定された前記第１レベル及び前記第２レベルを前記複数の薬剤について比較するグラフを生成する第１生成部と、前記第１生成部により生成されたグラフを出力する出力部として機能させるためのプログラムを提供する。
【発明の効果】
【００１０】
本発明によれば、各薬剤の耐性化の傾向を把握することを支援する情報を提供することができる。
【図面の簡単な説明】
【００１１】
【図１】第１実施例の薬剤選択支援システムの全体構成を表す図
【図２】検出結果蓄積装置及びグラフ表示装置のハードウェア構成を表す図
【図３】薬剤選択支援システムにおいて実現される機能構成を表す図
【図４】蓄積された検出結果の一例を表す図
【図５】グラフ表示メニュー画面の一例を表す図
【図６】生成された比較グラフの一例を表す図
【図７】グラフ表示処理における各装置の動作手順の一例を表す図
【図８】第２実施例の薬剤選択支援システムの全体構成を表す図
【図９】薬剤選択支援システムにおいて実現される機能構成を表す図
【図１０】表示された長期グラフの一例を表す図
【図１１】取得された使用量情報の一例を表す図
【図１２】出力された使用量画像の一例を表す図
【図１３】出力された使用量画像の別の一例を表す図
【図１４】出力された薬剤関連情報の一例を表す図
【発明を実施するための形態】
【００１２】
以下では、本発明の実施例である薬剤選択支援システムについて説明する。薬剤選択支援システムは、医療施設等において、患者に投与する薬剤のうちの特に抗菌薬の選択を支援するためのシステムである。以下では単に「薬剤」と言った場合、抗菌薬のことを示すものとする。
【００１３】
［１］第１実施例
図１は第１実施例の薬剤選択支援システム１の全体構成を表す。薬剤選択支援システム１は、本実施例では、病院Ａにおいて利用され、病院Ａにおける薬剤の選択を支援する。薬剤選択支援システム１は、検出結果蓄積装置１０と、グラフ表示装置２０とを備える。
【００１４】
検出結果蓄積装置１０は、病院Ａの入院患者の検体（患者の人体から得られた被検査物）を用いて複数の薬剤について行われた薬剤感受性試験の結果に基づいて検出された各薬剤に対する細菌の感受性を表す情報、すなわち薬剤感受性の検出結果を蓄積する。検出結果蓄積装置１０は、例えば、薬剤の名称と、患者を識別する識別情報（例えば患者ＩＤ（Identification））と、検体の採取日と、対象菌名（検体に含まれている菌の分類を表す名称。採取された検体の種類によって決まったり、検体に含まれる菌の同定作業の結果によって決まったりする）と、感受性の検出結果（Ｓ：Susceptible（感受性あり）、Ｉ：Intermediate（中間）、Ｒ：Resistant（感受性なし））とを対応付けて蓄積する。
【００１５】
グラフ表示装置２０は、検出結果蓄積装置１０による薬剤感受性の検出結果に基づいて、各薬剤の耐性化が特定の期間（例えば１月１日から１２月３１日までの期間又は病院Ａの会計年度（例えば４月から３月まで）等）においてどのように進んでいるかということを表す耐性化傾向グラフを表示する。病院Ａの医師は、この耐性化傾向グラフを見ることで、例えば、病院Ａにおいて耐性化が進んでいる抗菌薬よりも耐性化が進んでいない抗菌薬を選択することができる。
【００１６】
図２は検出結果蓄積装置１０及びグラフ表示装置２０のハードウェア構成を表す。検出結果蓄積装置１０及びグラフ表示装置２０は、いずれも、プロセッサ１１と、メモリ１２と、ストレージ１３と、通信装置１４と、入力装置１５と、出力装置１６と、バス１７という各装置を備えるコンピュータである。
【００１７】
プロセッサ１１は、例えばＣＰＵ（Central Processing Unit）を備え、プログラムを実行することで各部の動作を制御する。メモリ１２は、ＲＡＭ（Random Access Memory）及びＲＯＭ（Read Only Memory）等の記録手段である。ＲＡＭはプロセッサ１１がプログラムを実行する際にワークエリアとして用いられる。ストレージ１３は、ＨＤＤ（Hard Disk Drive）、ＳＳＤ（Solid State Drive）及びフラッシュメモリ等の記憶手段である。ストレージ１３及びメモリ１２のＲＯＭは、プロセッサ１１が制御に用いるデータ及びプログラム等を記憶している。
【００１８】
通信装置１４は、コンピュータ間の通信を行うための通信手段である。この通信は、有線通信及び無線通信のいずれで行われてもよい。入力装置１５は、外部からの入力を受け付ける入力デバイス（キーボード、マウス、マイクロフォン、スイッチ、ボタン及びセンサ等）である。出力装置１６は、外部への出力を実施する出力デバイス（ディスプレイ及びスピーカー等）である。なお、入力装置１５及び出力装置１６は、一体となった構成（例えば、タッチスクリーン）であってもよい。図２に表す各装置は、情報を通信するためのバス１７を介して互いにアクセス可能となっている。
【００１９】
検出結果蓄積装置１０及びグラフ表示装置２０の各プロセッサ１１がプログラムを実行することで以下に述べる機能が実現される。
図３は薬剤選択支援システム１において実現される機能構成を表す。検出結果蓄積装置１０は、検出結果蓄積部１０１と、検出結果出力部１０２とを備える。グラフ表示装置２０は、検出結果取得部２０１と、検出結果抽出部２０２と、感受性レベル判定部２０３と、グラフ生成部２０４と、グラフ出力部２０５とを備える。
【００２０】
検出結果蓄積装置１０の検出結果蓄積部１０１は、複数の薬剤についての薬剤感受性の検出結果を蓄積する。病院Ａでは、本実施例では、例えば入院患者の検体に含まれる腸内細菌群に対する１６種類の抗菌薬の薬剤感受性試験が行われ、それらの抗菌薬の薬剤感受性の検出結果（「Ｓ」、「Ｉ」、「Ｒ」のいずれか）が医療関係者によって検出結果蓄積装置１０に入力される。検出結果蓄積部１０１は、この検出結果を、上述した薬剤の名称、患者ＩＤ、検体の採取日及び対象菌名に対応付けて記憶する。
【００２１】
図４は蓄積された検出結果の一例を表す。図４の例では、検出結果蓄積部１０１が、「ＩＤ００１」という患者ＩＤと、「２０１５／０２／１５」という検体の採取日と、「腸内細菌群」という対象菌名と、「アンピシリン」という薬剤の名称と、「Ｓ」という薬剤感受性の検出結果とを対応付けて蓄積している。また、検出結果蓄積部１０１は、同じ患者ＩＤ、検体の採取日及び対象菌名に対応付けて、「ピペラシリン」という薬剤の名称と「Ｓ」という薬剤感受性の検出結果を対応付けて蓄積し、「ユナシン」という薬剤の名称と「Ｒ」という薬剤感受性の検出結果を対応付けて蓄積している。
【００２２】
また、検出結果蓄積部１０１は、同じ患者ＩＤ、検体の採取日及び対象菌名に対応付けて、図示していない１３種類の薬剤の名称と薬剤感受性の検出結果とを対応付けて蓄積している。また、検出結果蓄積部１０１は、同じ患者ＩＤに対応付けて、「２０１５／０２／２７」という検体の採取日と、同じ対象菌名と、１６種類の薬剤の名称と、それぞれの薬剤感受性の検出結果とを対応付けて蓄積している。この例では、「ピペラシリン」の薬剤感受性の検出結果が「２０１５／０２／１５」の検体に含まれる腸内細菌群に対しては「Ｓ」であったのが「Ｉ」に変化している。
【００２３】
また、検出結果蓄積部１０１は、「２０１５／０３／１２」という検体の採取日及び「腸内細菌群」という対象菌名に対応付けて１６種類の薬剤の名称とそれぞれの薬剤感受性の検出結果とを対応付けて蓄積している。この例では、「ピペラシリン」の薬剤感受性の検出結果が「２０１５／０２／２７」の検体に含まれる腸内細菌群に対しては「Ｉ」であったのが「Ｒ」に変化している。このように、検出結果蓄積部１０１は、「ＩＤ００１」という患者ＩＤの患者から３回採取された検体に含まれる腸内細菌群に対してそれぞれ１６種類の薬剤の感受性試験を行って得られた検出結果を蓄積している。
【００２４】
また、検出結果蓄積部１０１は、「ＩＤ００２」という患者ＩＤの患者については、「２０１５／０２／２５」、「２０１５／０３／０８」、「２０１５／０３／１９」、「２０１５／０４／０６」、「２０１５／０４／１６」という５回の日程で採取された検体に含まれる腸内細菌群に対してそれぞれ１６種類の薬剤の感受性試験を行って得られた検出結果を蓄積している。この例では、「ピペラシリン」及び「ユナシン」の腸内細菌群に対する薬剤感受性の検出結果が最初は「Ｓ」であったのが、最後にはいずれも「Ｒ」に変化している。検出結果蓄積部１０１は、「ＩＤ００３」等の他の患者ＩＤにも検体の採取日、対象菌名、薬剤の名称及び薬剤感受性の検出結果を対応付けて蓄積している。
【００２５】
グラフ表示装置２０の検出結果取得部２０１は、検出結果蓄積部１０１に蓄積されている検出結果、すなわち複数の薬剤についての薬剤感受性の検出結果を取得する。検出結果取得部２０１は、例えばユーザが上述した耐性化傾向グラフを表示させる操作を行った場合に検出結果を取得する。この操作は例えばグラフを表示させるためのメニューを示したグラフ表示メニュー画面で行われる。
【００２６】
図５はグラフ表示メニュー画面の一例を表す。図５の例では、グラフ表示装置２０の出力装置１６が有するディスプレイに、「Ａ病院グラフ表示メニュー」というタイトルと、「グラフ種類」を選択する選択欄Ｂ１と、「対象期間」を選択する選択欄Ｂ２と、「対象薬剤」を選択する選択欄Ｂ３と、「対象菌名」を選択する選択欄Ｂ４と、グラフ表示ボタンＣ１とが表示されている。選択欄Ｂ１では「レーダーチャート」が選択されている。なお、グラフ種類は、これ以外にも、例えば折れ線グラフ等が選択可能となっている。
【００２７】
選択欄Ｂ２では「２０１５年」が対象期間として選択され、選択欄Ｂ３では「アンピシリン、ピペラシリン、ユナシン、セファゾリン、・・・（全１６種類）」という１６種類の抗菌薬が対象薬剤として選択されている。この選択欄Ｂ３を選択する操作を行うと全抗菌薬の名称が表示され、薬剤の追加、削除、変更が行えるようになっている（ただし、Ａ病院の薬剤感受性試験で感受性が試験されている抗菌薬しか選択できない）。
【００２８】
選択欄Ｂ４では「腸内細菌群」が対象菌名として選択されている。対象菌名としては、これ以外にも、例えば、腸球菌群、ブドウ球菌群、非発酵菌群及び連鎖球菌群等が選択可能である。また、他にも、菌属名及び菌種名等の、菌の分類を表す名称が対象菌名として用いられてもよい。グラフ表示ボタンＣ１を押す操作が行われると、検出結果取得部２０１は、グラフを表示するために用いるグラフ用の検出結果を要求する要求データを検出結果蓄積装置１０に送信する。
【００２９】
検出結果取得部２０１は、本実施例では、選択された対象期間に検体の採取日が全て含まれる患者についての選択された対象菌名の菌に対する薬剤感受性の検出結果をグラフ用の検出結果として要求する。例えば「２０１５年」という対象期間が選択された場合、図４に表す患者ＩＤが「ＩＤ００１」及び「ＩＤ００２」の患者の検出結果は検体の採取日が全て「２０１５年」であるからグラフ用の検出結果として要求され、「２０１４／１２／１８」という検体の採取日を含む患者ＩＤが「ＩＤ００３」の患者の検出結果は要求されないことになる。
【００３０】
検出結果蓄積装置１０の検出結果出力部１０２は、検出結果蓄積部１０１に蓄積されている薬剤感受性の検出結果を示す検出結果情報を出力する。検出結果出力部１０２は、グラフ表示装置２０から送信されてきた要求データを受け取ると、この要求データが要求するグラフ用の検出結果を検出結果蓄積部１０１から読み出し、グラフ表示装置２０に対して出力する。検出結果取得部２０１は、こうして検出結果蓄積装置１０から出力されてきた薬剤感受性の検出結果を取得して、検出結果抽出部２０２に供給する。
【００３１】
グラフ表示装置２０の検出結果抽出部２０２は、検出結果取得部２０１によって複数の薬剤感受性の検出結果が取得された患者における第１時期及び第２時期の検出結果を抽出する。検出結果抽出部２０２は本発明の「抽出部」の一例である。検出結果抽出部２０２は、本実施例では、入院してから最初に行われた薬剤感受性試験の検出結果、すなわち入院初期の検出結果を第１時期の検出結果として抽出し、退院前の最後に行われた薬剤感受性試験の検出結果、すなわち入院終期の検出結果を第２時期の検出結果として抽出する。
【００３２】
検出結果抽出部２０２は、図４に表す「ＩＤ００１」の患者であれば、最も古い日付である「２０１５／０２／１５」に採取された検体に含まれる腸内細菌群についての検出結果を第１時期の検出結果として抽出し、最も新しい日付である「２０１５／０３／１２」に採取された検体に含まれる腸内細菌群についての検出結果を第２時期の検出結果として抽出する。また、検出結果抽出部２０２は、図４に表す「ＩＤ００２」の患者であれば、最も古い日付である「２０１５／０２／２５」に採取された検体に含まれる腸内細菌群についての検出結果を第１時期の検出結果として抽出し、最も新しい日付である「２０１５／０４／１６」に採取された検体に含まれる腸内細菌群についての検出結果を第２時期の検出結果として抽出する。検出結果抽出部２０２は、こうして抽出した検出結果を感受性レベル判定部２０３に供給する。
【００３３】
感受性レベル判定部２０３は、検出結果抽出部２０２により検出結果が抽出された患者の第１時期の薬剤感受性のレベル（以下「第１レベル」という）及び第２時期の薬剤感受性のレベル（以下「第２レベル」という）を複数の薬剤について判定する。感受性レベル判定部２０３は本発明の「判定部」の一例である。感受性レベル判定部２０３は、本実施例では、検出結果が抽出された全ての患者のうち、「Ｓ」という検出結果が抽出された患者の割合を算出し、算出した割合を薬剤感受性のレベルとして判定する（この割合が大きいほど薬剤感受性のレベルが高いことを意味する）。
【００３４】
例えば２０１５年に入院して第１時期及び第２時期の検出結果が抽出された患者数が１３７名であり、そのうちアンピシリンについての第１時期の検出結果が「Ｓ」である患者が９０名であれば、感受性レベル判定部２０３は、９０÷１３７＝６５．７％を第１時期のアンピシリンに対する薬剤感受性のレベル、すなわち第１レベルとして判定する。
【００３５】
また、そのうちアンピシリンについての第２時期の検出結果が「Ｓ」である患者が７８名であれば、感受性レベル判定部２０３は、７８÷１３７＝５６．９％を第２時期のアンピシリンに対する薬剤感受性のレベル、すなわち第２レベルとして判定する。感受性レベル判定部２０３は、この判定を各薬剤について行い、それらの判定結果、すなわち各薬剤についての第１レベルの値及び第２レベルの値をグラフ生成部２０４に供給する。
【００３６】
グラフ生成部２０４は、感受性レベル判定部２０３により判定された第１レベル及び第２レベルを複数の薬剤について比較する比較グラフを生成する。グラフ生成部２０４は本発明の「第１生成部」の一例である。グラフ生成部２０４が生成する比較グラフを、図６を参照して説明する。
【００３７】
図６は生成された比較グラフの一例を表す。図６の例では、グラフ生成部２０４が、複数の薬剤を並べた第１軸Ｄ１と、複数の薬剤の各々について判定された薬剤感受性のレベルを示す第２軸Ｄ２とを有し、第１軸Ｄ１に並べられた隣り合う薬剤の第１レベル同士を線Ｅ１（この例では破線）で結び、それらの薬剤の第２レベル同士を線Ｅ２（この例では実線）で結んだレーダーチャートを比較グラフＧ１として生成している。また、グラフ生成部２０４は、複数の薬剤のうち系統が共通する薬剤を隣接させて並べて比較グラフＧ１を生成している。
【００３８】
グラフ生成部２０４は、例えば、いずれもペニシリン系の抗菌薬であるアンピシリン、ピペラシリン、ユナシンを隣接させ、いずれもセフェム系の抗菌薬であるセファゾリン、セフジトレン、ロセフィン、モダシン、セフォペラゾン、セフメタゾール、スルペラゾンを隣接させ、いずれもアミノグリコシド系の抗菌薬であるカナマイシン、ゲンタマイシンを隣接させて並べている。
【００３９】
また、グラフ生成部２０４は、第１レベル及び第２レベルの差分が閾値（この例では２０％）以上である薬剤については、その差分を表す差分画像を含む比較グラフＧ１を生成する。グラフ生成部２０４は、図６の例では、差分が閾値以上となっているピペラシリン、ユナシン、セファゾリン、ロセフィン、レボフロサキシンのそれぞれについて、第１レベルから第２レベルに向かう矢印の画像Ｆ１、Ｆ２、Ｆ３、Ｆ４、Ｆ５を差分画像として含む比較グラフＧ１を生成している。
【００４０】
また、グラフ生成部２０４は、比較対象の内容が分かり易くなるように、比較グラフＧ１の周辺に、「Ａ病院における腸内細菌群の薬剤の耐性化傾向（２０１５年）」というタイトルと、「対象期間：２０１５年１月〜２０１５年１２月」、「患者数：１３７名」、線Ｅ１が「初期検出感受性率（％）」、線Ｅ２が「後期検出感受性率（％）」というグラフの元となっているデータの概要及びグラフの見方を示す基本情報とを有する比較グラフＧ１を生成している。グラフ生成部２０４は、このように生成した比較グラフＧ１をグラフ出力部２０５に供給する。
【００４１】
グラフ出力部２０５は、グラフ生成部２０４により生成された比較グラフを出力する。グラフ出力部２０５は本発明の「出力部」の一例である。グラフ出力部２０５は、本実施例では、自装置の表示手段である出力装置１６が有するディスプレイに比較グラフを出力する。その結果、例えば図６に表す比較グラフＧ１がディスプレイに表示されることになる。
【００４２】
薬剤選択支援システム１が備える各装置は、上記の構成に基づいて、図６に表すような比較グラフを表示するグラフ表示処理を行う。
図７はグラフ表示処理における各装置の動作手順の一例を表す。この動作手順は、検出結果蓄積装置１０に薬剤感受性の検出結果が蓄積された状態で、ユーザがグラフ表示装置２０に対してグラフを生成させる操作（例えば図５に表すグラフ表示ボタンＣ１を押す操作）を行うことを契機に開始される。まず、グラフ表示装置２０は、ユーザが行ったグラフ生成操作を受け付ける（ステップＳ１１）。
【００４３】
次に、グラフ表示装置２０（検出結果取得部２０１）は、検出結果蓄積装置１０に対して蓄積している薬剤感受性の検出結果を要求する（ステップＳ１２）。検出結果蓄積装置１０（検出結果出力部１０２）は、要求された検出結果を読み出して（ステップＳ１３）、グラフ表示装置２０に対して出力する（ステップＳ１４）。グラフ表示装置２０（検出結果取得部２０１）は、出力されてきた薬剤感受性の検出結果を取得する（ステップＳ１５）。次に、グラフ表示装置２０（検出結果抽出部２０２）は、取得された薬剤感受性の検出結果から第１時期及び第２時期（本実施例では入院初期及び入院終期）の検出結果を抽出する（ステップＳ１６）。
【００４４】
続いて、グラフ表示装置２０（感受性レベル判定部２０３）は、抽出された検出結果に基づいて、第１時期及び第２時期の感受性レベルを複数の薬剤について判定する（ステップＳ１７）。次に、グラフ表示装置２０（グラフ生成部２０４）は、判定された第１レベル及び第２レベルを複数の薬剤について比較する比較グラフを生成する（ステップＳ１８）。そして、グラフ表示装置２０（グラフ出力部２０５）は、こうして生成された比較グラフを例えば自装置の表示手段に出力する（ステップＳ１９）。
【００４５】
本実施例では、上記のとおり第１時期について判定された薬剤感受性の第１レベル及び第２時期について判定された薬剤感受性の第２レベルを複数の薬剤について比較する比較グラフが出力される。これらの薬剤感受性のレベルの変化は、薬剤の耐性化の変化を表す（例えば薬剤感受性のレベルが低くなれば耐性化が進んだことを意味する）ので、本実施例によれば、この比較グラフを、各薬剤の耐性化の傾向を把握することを支援する情報として提供することができる。
【００４６】
また、第１時期について判定された薬剤感受性の第１レベルは、病院Ａに入院した患者の第１時期（本実施例では入院初期）における薬剤感受性の傾向を表すので、第１時期の患者に投与する薬剤を選択する際に、各薬剤について判定された第１レベルを参考にすることができる。また、第２時期（本実施例では入院終期）の患者に投与する薬剤を選択する際にも同様に、各薬剤について判定された第２レベルを参考にすることができる。
【００４７】
また、本実施例では、図６に表すようなレーダーチャートが比較グラフとして出力されている。これにより、例えば第１レベル同士を結ぶ線が囲む領域の大きさによって、第１時期の患者における複数の薬剤全体での薬剤感受性の状況（この領域が大きいほど薬剤感受性が全体的に高いレベルにあることを意味する）を把握させることができる。また、系統が共通する薬剤を隣接させて並べることで、これらを離した比較グラフにする場合に比べて、同じ系統の薬剤同士の感受性及び耐性化の状況を比較しやすいようにしている。
【００４８】
また、例えば図６に表す矢印の画像Ｆ１〜Ｆ５のように、第１レベル及び第２レベルの差分が閾値以上となっている薬剤について差分画像を比較グラフに含めることで、差分画像が含まれない場合に比べて、どの薬剤で耐性化が大きく進んでいるかということを把握しやすくすることができる。
【００４９】
［２］第２実施例
本発明の第２実施例について、以下、第１実施例と異なる点を中心に説明する。第１実施例では、上述した比較グラフ、すなわち第１レベル及び第２レベルを複数の薬剤について比較するグラフが出力されたが、第２実施例では、これ以外のグラフも出力される。
【００５０】
図８は第２実施例の薬剤選択支援システム１ａの全体構成を表す。薬剤選択支援システム１ａは、検出結果蓄積装置１０と、グラフ表示装置２０ａと、薬剤情報管理装置３０とを備える。薬剤情報管理装置３０は、病院Ａにおける薬剤に関する情報を管理する。薬剤情報管理装置３０は、例えば、薬剤が投与された患者に関する患者情報（氏名、年齢、病歴及び薬剤の投与歴等）、投与された薬剤の種類、使用量、投与方法（経口及び注射等）、投与日時及びその薬剤の臓器移行性等の情報を、病院Ａで利用されている各種のシステムから収集し、又はユーザによって入力されて記憶する。
【００５１】
図９は薬剤選択支援システム１ａにおいて実現される機能構成を表す。グラフ表示装置２０ａは、図３に表す各部に加え、長期グラフ生成部２０６と、使用量情報取得部２０７と、使用量画像生成部２０８と、薬剤関連情報取得部２０９と、薬剤関連情報出力部２１０とを備える。
【００５２】
長期グラフ生成部２０６は、複数の薬剤のうちの指定された薬剤について、特定の期間に第１時期及び第２時期の検出結果が取得された患者について判定された第１レベル及び第２レベルの変化の度合いを複数の期間について示した長期グラフを生成する。長期グラフ生成部２０６は本発明の「第２生成部」の一例である。特定の期間とは、例えば各年の１月１日から１２月３１日までの期間や病院Ａの会計年度（４月から３月までの期間）の期間などである。
【００５３】
検出結果取得部２０１は、例えば図６に表す比較グラフＧ１において、いずれかの薬剤を指定する操作（例えば指定する薬剤名をクリックする操作等）が行われると、その操作で指定された薬剤について、複数の期間における検出結果を取得する。検出結果抽出部２０２は、それら複数の期間について、第１時期の検出結果及び第２時期の検出結果をそれぞれ抽出する。感受性レベル判定部２０３は、それら複数の時期についてそれぞれ第１レベル及び第２レベルを判定し、その判定結果を長期グラフ生成部２０６に供給する。
【００５４】
長期グラフ生成部２０６は、供給された複数の時期のそれぞれについての第１レベル及び第２レベルに基づいて、上記操作により指定された薬剤についての長期グラフを生成する。長期グラフ生成部２０６が生成した長期グラフをグラフ出力部２０５に供給すると、グラフ出力部２０５が供給された長期グラフ、すなわち長期グラフ生成部２０６により生成された長期グラフを例えば自装置の表示手段に出力して表示させる。
【００５５】
図１０は表示された長期グラフの一例を表す。図１０の例では、長期グラフ生成部２０６が、「Ａ病院における腸内細菌群のピペラシリンの薬剤感受性のレベルの変遷」というタイトルで、２０１１年から２０１５年までの５年間における第１レベルから第２レベルへの変化の度合いを示す長期グラフＧ２を生成している。長期グラフＧ２では、第１レベルが黒丸で表され、第２レベルが白丸で表されている。長期グラフ生成部２０６は、長期グラフＧ２の元データに関する情報として、各期間において薬剤感受性の検出結果が取得された患者数（「７９名」、「１０８名」、「９２名」、「１２５名」、「１３７名」）を表している。
【００５６】
また、長期グラフ生成部２０６は、各期間における感受性レベルの変化度合いを示す値を表している。例えば２０１１年では、７２％（第１レベル）から５７％（第２レベル）への−１５％という感受性レベルの変化度合いが表されている。また、２０１２年では６８％（第１レベル）から７２％（第２レベル）への＋４％が、２０１３年では７８％（第１レベル）から７２％（第２レベル）への−６％が、２０１４年では７８％（第１レベル）から７５％（第２レベル）への−３％が、２０１５年では８２％（第１レベル）から５２％（第２レベル）への−３０％が感受性レベルの変化度合いとして表されている。
【００５７】
このように長期グラフＧ２が出力されることで、指定された薬剤について各期間において耐性化がどのように進んできたかを知ることができる。例えば図１０の例であれば、Ａ病院では２０１１年にピペラシリンの耐性化が大きく進んでおり（−１５％）、２０１２年から２０１４年にかけては耐性化の進行が抑制されたが（＋４％、−６％、−３％）、２０１５年には再び耐性化が大きく進んだ（−３０％）ことが分かる。
【００５８】
長期グラフＧ２には、薬剤使用量を表示させる表示ボタンＣ２が表されている。この表示ボタンＣ２を押す操作が行われると、使用量情報取得部２０７が、検出結果取得部２０１により検出結果が取得された患者が属する医療施設における複数の薬剤のそれぞれの使用量を示す使用量情報を取得する。使用量情報取得部２０７は本発明の「第１情報取得部」の一例である。使用量情報取得部２０７は、例えばＡＵＤ（Antimicrobial Use Density：抗菌薬使用密度）で表された使用量情報を取得する。ＡＵＤとは、ＷＨＯ（World Health Organization）が推奨する抗菌薬使用量の評価指標であり、１０００入院患者日数当たりの抗菌薬使用量を表す値である。
【００５９】
図１１は取得された使用量情報の一例を表す。図１１の例では、２０１１年から２０１５年までの５つの期間について、「３３．０」、「８．５」、「１７．０」、「１２．５」及び「６７．５」というＡＵＤの値が取得されている。使用量情報取得部２０７は、取得した使用量情報を使用量画像生成部２０８に供給する。使用量画像生成部２０８は、複数の薬剤について、使用量情報取得部２０７により取得された使用量情報が示す使用量をグラフに示す画像を生成する。使用量画像生成部２０８は本発明の「第３生成部」の一例である。
【００６０】
使用量画像生成部２０８は、各期間の使用量を例えば図１０に表す長期グラフＧ２に示す画像を生成し、生成した画像を長期グラフ生成部２０６に供給する。長期グラフ生成部２０６は、その画像を含む長期グラフを生成してグラフ出力部２０５に供給する。グラフ出力部２０５は、こうして供給された長期グラフを出力することで、使用量画像生成部２０８により生成された使用量情報が示す使用量をグラフに示す使用量画像を出力する。
【００６１】
図１２は出力された使用量画像の一例を表す。図１２の例では、グラフ出力部２０５が、「Ａ病院における腸内細菌群のピペラシリンの薬剤感受性のレベルの変遷及び抗菌薬使用量の評価指標（ＡＵＤ）の推移」というタイトルの長期グラフＧ３を出力している。長期グラフＧ３には、図１０に表す長期グラフＧ２と同じ薬剤感受性レベルの変遷と、２０１１年から２０１５年までの各年のＡＵＤを表す使用量画像Ｊ１、Ｊ２、Ｊ３、Ｊ４、Ｊ５が表されている。
【００６２】
長期グラフＧ３では、各期間における薬剤感受性レベルの変化と薬剤の使用量との関係が表されている。例えば使用量画像Ｊ１及びＪ５が示すようにピペラシリンの使用量が多かった期間では、薬剤感受性のレベルが−１５％、−３０％と大きく変化し、耐性化が大きく進んでいることが分かる。一方、使用量画像Ｊ２、Ｊ３、Ｊ４が示すようにピペラシリンの使用量が少なかった期間では、薬剤感受性のレベルの変化が＋４％、−６％、−３％と少なく、耐性化が抑制されているか又は薬剤感受性が回復していることが分かる。このように、薬剤の使用量をグラフに示す使用量画像が出力されることで、この使用量画像が出力されない場合に比べて、薬剤感受性レベルの変化と薬剤の使用量との関係を把握しやすくすることができる。
【００６３】
なお、使用量画像生成部２０８は、各薬剤の使用量を比較グラフに示す画像を生成し、生成した画像をグラフ生成部２０４に供給してもよい。その場合、グラフ生成部２０４は、その画像を含む比較グラフを生成してグラフ出力部２０５に供給する。グラフ出力部２０５は、こうして供給された比較グラフを出力することで、この場合も、使用量画像生成部２０８により生成された使用量情報が示す使用量をグラフに示す使用量画像を出力する。
【００６４】
図１３は出力された使用量画像の別の一例を表す。図１３の例では、グラフ出力部２０５が、「Ａ病院における腸内細菌群の薬剤の耐性化傾向及び使用量（ＡＵＤ）（２０１５年）」というタイトルの比較グラフＧ４を出力している。比較グラフＧ４は、複数の薬剤を並べた第１軸Ｄ１を横軸にして、複数の薬剤の各々について判定された薬剤感受性のレベルを示す第２軸Ｄ２を縦軸にした折れ線グラフである。比較グラフＧ４における各薬剤の第１レベル及び第２レベルは、図６に表す例と同じ値である。
【００６５】
比較グラフＧ４には、使用量画像群Ｊ１０が表されている。使用量画像群Ｊ１０は、ピペラシリン、ユナシン、セファゾリン、ロセフィン、モダシン、セフォペラゾン、セフメタゾール、カナマイシン、レボフロキサシン、ホスミシンの使用量をそれぞれ表している。このうちの第１レベル及び第２レベルの差分が上述した閾値（この例では２０％）以上であるピペラシリン、ユナシン、セファゾリン、ロセフィン、レボフロキサシンの使用量（ＡＵＤ）はいずれも３０〜６０であり、第１レベル及び第２レベルの差分が閾値未満の薬剤（モダシン、セフォペラゾン、カナマイシン、ホスミシン）よりも大きくなっている。
【００６６】
一方、セフメタゾールは、第１レベル及び第２レベルの差分が閾値未満であるが、使用量はロセフィンよりも多い。このように、耐性化の進行の度合いは、薬剤の使用量が多いほど進む傾向はあるが、必ずしもそれだけでは決まらない。そこで、その原因を調べるため、例えば薬剤の名称を指定する操作を行うことで、グラフ表示装置２０ａは、その操作を指定された薬剤に関連する情報（以下「薬剤関連情報」という）を出力する操作として受け付ける。
【００６７】
この操作が受け付けられると、薬剤関連情報取得部２０９は、この操作により指定された薬剤について、臓器移行性を示す情報、投与方法を示す情報及び投与された患者に関する情報を薬剤関連情報として取得する。薬剤関連情報取得部２０９は本発明の「第２情報取得部」の一例である。薬剤関連情報取得部２０９は、上記操作で指定された薬剤についての薬剤関連情報をそれが記憶されている装置（例えば図８に表す薬剤情報管理装置３０）に要求し、その応答で送信されてくる薬剤関連情報を取得する。薬剤関連情報取得部２０９は、取得した薬剤関連情報を薬剤関連情報出力部２１０に供給する。
【００６８】
薬剤関連情報出力部２１０は、薬剤関連情報取得部２０９により取得された薬剤関連情報を出力する。薬剤関連情報出力部２１０は本発明の「第２出力部」の一例である。
図１４は出力された薬剤関連情報の一例を表す。図１４の例では、薬剤関連情報出力部２１０が、ロセフィンの薬剤関連情報として、ロセフィンの臓器移行性の情報Ｋ１と、各患者の診察結果の情報Ｋ２１、薬剤使用歴の情報Ｋ２２、投与方法の情報Ｋ２３を含む患者情報Ｋ２とを出力している。
【００６９】
患者情報Ｋ２は、検出結果が抽出された患者の数（２０１５年の例では１３７名）だけあるため、スクロールして表示させるようになっている。ただし、投与方法の情報Ｋ２３については、それらの患者のうちロセフィンが投与された患者（図１４に表示されている患者のうちではＩＤ００１及びＩＤ００３の患者）の患者情報Ｋ２にのみ含まれている。
【００７０】
例えば診察結果、臓器移行性及び投与方法を見比べることで、患者の患部に対して薬剤が十分に届いているか否かを検証することができる。もし患部に薬剤が十分に届いていなければ、薬剤の大部分は疾患の原因菌の殺菌に使われていないことになり、他の細菌を耐性化させる要因になっている可能性が高いと判断できる。また、診察結果及び薬剤使用歴を見比べることで、薬剤の使用回数や頻度が適当であったか否か、言い換えれば耐性化を促進するような使用方法になっていなかったか否かを検証することができる。このように、薬剤関連情報が出力されることで、この情報が出力されない場合に比べて、耐性化が進んだ原因を検証しやすくすることができる。
【００７１】
［３］変形例
上述した各実施例はそれぞれが本発明の実施の一例に過ぎず以下のように変形させてもよい。また、上述した各実施例及び以下に示す各変形例は必要に応じてそれぞれ組み合わせて実施してもよい。
【００７２】
［３−１］グラフの種類
上記の例では比較グラフとして図６に表すレーダーチャート及び図１３に表す折れ線グラフが用いられたが、これに限らず、例えば棒グラフ及び散布図等が用いられてもよい。要するに、比較グラフは、薬剤感受性の第１レベル及び第２レベルを複数の薬剤について比較することができるグラフであればよく、具体的には、複数の薬剤を並べた第１軸と、複数の薬剤の各々について判定された薬剤感受性のレベルを示す第２軸とを有するグラフであることが望ましい。
【００７３】
［３−２］第１時期及び第２時期
第１時期及び第２時期は上述した時期（入院初期、入院終期）に限らない。例えば入院前に薬剤感受性の試験が行われる場合もあるので、患者に対して最初に（入院前であっても）薬剤感受性の試験が行われた時期を第１時期としてもよい。また、第１時期から一定期間（例えば１月など）が経過した後に最初に薬剤感受性の試験を行った時期を第２時期としてもよい。要するに、薬剤感受性の検出結果が時間の経過によりどのように変化したかということが分かるのであれば、どのような時期が第１時期及び第２時期として用いられてもよい。また、３以上の時期の薬剤感受性のレベルが比較されてもよい。その場合、例えば連続する２つの時期を第１時期及び第２時期として薬剤感受性のレベルを比較すればよい。
【００７４】
［３−３］薬剤感受性のレベル
感受性レベル判定部２０３は、上記以外の方法で薬剤感受性のレベルを判定してもよい。感受性レベル判定部２０３は、例えば、検出結果が抽出された全ての患者のうち、「Ｓ」だけではなく「Ｉ」という検出結果が抽出された患者の割合を薬剤感受性のレベルとして判定してもよい。また、感受性レベル判定部２０３は、薬剤感受性のレベルを数値で表す代わりに、２５％未満を「レベル１」、２５％以上５０％未満を「レベル２」、５０％以上７５％未満を「レベル３」、７５％以上を「レベル４」というように、特定の指標を用いて表してもよい。いずれの場合も、第１時期のレベル（第１レベル）及び第２時期のレベル（第２レベル）が比較可能となっていればよい。
【００７５】
［３−４］薬剤の使用量
上記の例では薬剤の使用量がＡＵＤで表されたが、これに限らない。例えばＤＯＴ（Days Of Therapy）と呼ばれる抗菌薬の投与日数で使用量を評価する方法で薬剤の使用量が表されてもよい。また、抗菌薬のカプセル、錠剤、粉薬の袋の数で使用量が表されてもよいし、投与された抗菌薬の重さで使用量が表されてもよい。
【００７６】
［３−５］差分画像
差分画像は上述した矢印画像に限らず、例えば差分が閾値以上である薬剤の名称を囲む枠が差分画像として出力されてもよいし、「薬剤感受性が３０％ダウン」というような差分が閾値以上であることを示す文字列が差分画像として出力されてもよい。要するに、差分が閾値以上である薬剤を他の薬剤よりも目立たせてユーザが気付きやすいようにするものであれば、どのような画像が差分画像として用いられてもよい。
【００７７】
［３−６］出力先
上述した比較グラフ、長期グラフ、差分画像及び患者情報等の出力先は、グラフ表示装置２０の表示手段に限らない。例えばグラフ表示装置２０とは異なる外部装置が出力先であってもよいし、特定のユーザの電子メールアドレスやＳＮＳ（Social Networking Service）のアカウントが出力先であってもよい。要するに、出力されたグラフや患者情報などを医療関係者が確認できるようになっていればよい。
【００７８】
［３−７］各部を実現する装置
図３等に表す各部を実現する装置は、それらの図に表された装置に限らない。例えば検出結果蓄積装置１０及びグラフ表示装置２０が備える各部を１台の装置が実現してもよい。また、グラフ表示装置２０が備える各部を２以上の装置がそれぞれ実現してもよい。例えば、検出結果取得部２０１から感受性レベル判定部２０３までは第１装置が実現し、グラフ生成部２０４及びグラフ出力部２０５は第２装置が実現するといった具合である。この場合、第１装置及び第２装置を備える情報処理システム（薬剤選択支援システムの一部を成すシステム）が、グラフ表示装置２０が備える各部を実現することになる。要するに、薬剤選択支援システム全体としてこれらの機能が実現されていればよい。
【００７９】
［３−８］発明のカテゴリ
本発明は、グラフ表示装置のような情報処理装置の他、検出結果蓄積装置及びグラフ表示装置を備える、又はそれらに加えて薬剤情報管理装置を備える薬剤選択支援システムのような情報処理システムとしても捉えられる。また、本発明は、各装置が実施する処理を実現するための情報処理方法としても捉えられるし、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【００８０】
１…薬剤選択支援システム、１０…検出結果蓄積装置、２０…グラフ表示装置、３０…薬剤情報管理装置、１０１…検出結果蓄積部、１０２…検出結果出力部、２０１…検出結果取得部、２０２…検出結果抽出部、２０３…感受性レベル判定部、２０４…グラフ生成部、２０５…グラフ出力部、２０６…長期グラフ生成部、２０７…使用量情報取得部、２０８…使用量画像生成部、２０９…薬剤関連情報取得部、２１０…薬剤関連情報出力部。
【図１】
2018055435.tif 000003
【図２】
2018055435.tif 000004
【図３】
2018055435.tif 000005
【図４】
2018055435.tif 000006
【図５】
2018055435.tif 000007
【図６】
2018055435.tif 000008
【図７】
2018055435.tif 000009
【図８】
2018055435.tif 000010
【図９】
2018055435.tif 000011
【図１０】
2018055435.tif 000012
【図１１】
2018055435.tif 000013
【図１２】
2018055435.tif 000014
【図１３】
2018055435.tif 000015
【図１４】
2018055435.tif 000016